(57)【要約】【課題】  タッチアップを施工する際に従来の刷毛塗りと較べて作業能率を飛躍的に向上させ、また、作業者から見て鉄骨材や鋼材の蔭の位置や作業姿勢保持が困難な位置に配置されたボルト・ナットに関してタッチアップを施工する労力を大幅に軽減すること。【解決手段】  把手部と、この把手に固定され且つ塗装中に垂れる防錆塗料を受け留める受皿部と、この受皿の周縁部表面において厚底型コップ状の含浸性材料を同心円筒状に立ち上げるように密着して設けた塗料含浸部とを含むタッチアップ施工用具を用いる。【選択図】  図１
0003126247.tif 000002
【実用新案登録請求の範囲】
【請求項１】
把手部と、受皿部と、この受皿の周縁部表面に同心円筒状に密着して設けた塗料含浸部
とを含むことを特徴とするタッチアップ施工用具。
【請求項２】
前記塗料含浸部は、多孔質弾性体又は不織布を厚底型円筒形コップの形状に形成してな
ることを特徴とする請求項１に記載されたタッチアップ施工用具。
【請求項３】
前記塗料含浸部は、多孔質弾性体又は不織布を口縁部がラッパ状に開いた厚底型コップ
の形状に形成してなることを特徴とする請求項１に記載されたタッチアップ施工用具。
【請求項４】
前記塗料含浸部は、前記受皿の周縁部表面に同心円筒状に植毛して刷毛を形成し且つ当
該円筒の受け皿側端部を厚手の不織布又は多孔質弾性体により閉じて形成したことを特徴
とする請求項１に記載されたタッチアップ施工用具。
【考案の詳細な説明】
【技術分野】
【０００１】
この考案は、ボルト接合により鋼材や鉄骨部材を互いに接合してなる接合部に配列され
た本締め後のボルト、ナット、座金、および座金周辺の鋼材あるいは接合補助部材に防錆
塗装を施工（業界ではタッチアップと云う。）する際の施工用具に関するものである。
【背景技術】
【０００２】
鉄骨部材をボルト・ナットにより互いに接合して鉄骨を構築し、これにプレキャストコ
ンクリート板を取り付けて躯体を建造するいわゆる乾式工法を採用する建築物、あるいは
鋼材をボルト接合により逐次的に接合することにより構造体を伸延しつつ建造する鉄塔や
橋梁などの構築物においては、ボルト・ナット締結後の防錆塗装施工が不可欠である。
【０００３】
上記防錆塗装は、工事現場で建造物の構築後に施工されるため、吹き付け塗装など機械
化による施工は大気汚染など環境問題の制約から困難であり、特に接合部への施工は狭い
面積にボルト・ナットが密集しているため、刷毛を用いる手作業に頼らざるを得ない。構
築物における接合部の数量ひいてはボルト・ナットの総数は膨大であり、従来から手作業
による施工には莫大な工数を要している。また、密集したボルト・ナットの蔭の部分など
に生じがちな塗り残し等を作業者が何度も確認し塗装を補修することが施工検査をクリア
する為に求められ、作業能率低下の大きな要因となっている。
【０００４】
更に、多くの場合において防錆塗装の施工は高所作業であり、然も接合部は作業者が作
業姿勢を保持することが困難な位置、例えば建築物の梁や橋梁の橋桁の下面、外側面或は
オーバーハング状の斜行面等に配置されていることが多いため、刷毛による塗装は労力を
消耗させると共に作業能率低下を余儀なくさせている。ボルト・ナットにソケット状器具
を被せることによりマークを付す発想が既に開示されているが、塗料を吹き付け塗装する
方法を用いるので本考案の目的に適合しない。
【特許文献１】特開２００４−１０８５６５号公報
【考案の開示】
【考案が解決しようとする課題】
【０００５】
本考案において解決しようとする課題は、タッチアップを行う際に従来の刷毛塗りと比
較して飛躍的に作業能率を向上させることである。また、作業者から見て鉄骨部材の蔭の
位置や作業者の作業姿勢を保持することが困難な位置に配置されたボルト・ナットにタッ
チアップを施す労力を格段に軽減することである。
【０００６】
更に、土木建設業界において広く採用されるためには、このようなタッチアップについ
ての作業能率向上や労力軽減を実現する施工用具は大量提供が容易なもの且つ低コストな
ものでなくてはならない。
【課題を解決するための手段】
【０００７】
本考案によれば、把手と、この把手に固定され且つ塗装中に垂れる防錆塗料を受け留め
る受皿と、この受皿の周縁部表面において厚底型コップ状の含浸性材料を同心円筒状に立
ち上がるように密着して設けた塗料含浸部と、を含む新規なタッチアップ施工用具を用い
ることにより、上記課題が解決される。すなわち本考案になるタッチアップ施工用具は、
把手部と、受皿部と、この受皿の周縁部表面に同心円筒状に密着して設けた塗料含浸部と
を含むことを主要な特徴とするものである。
【考案の効果】
【０００８】
本考案によれば、円筒形状の塗料含浸部を設けたことにより、ボルト・ナットが重力の
方向に関して上下、左右、前後或は斜め等いずれの向きに締結されていても、塗料含浸部
をボルトと同軸方向に鉄骨材に達するまで深くボルト・ナットに被せる動作を一回行うこ
とで、容易にタッチアップができる。このように被せた状態で念のため複数回、深く浅く
この往復運動の動作を繰り返しても、従来の刷毛塗りに較べ工数低減と労力軽減効果は格
段に大きく、著しく作業能率が改善される。
【０００９】
本考案によれば、受皿部を設けこの受皿の周縁部表面に塗料含浸部を同心円筒状に密着
させたことで、重力の方向に関して鉄骨材下面に位置する接合部に配置されたボルト・ナ
ットにタッチアップを行う場合に垂れ落ちる塗料を受皿部に受け止めることができ、汚く
きついと敬遠される作業の質が改善される。
【００１０】
本考案によれば、特に塗装作業者が作業姿勢を保持することが困難な建築物の梁や橋梁
の橋桁の下面、外側面或はオーバーハング状態の斜行面等に配置されている接合部にタッ
チアップを施工する際に、作業中での塗料損失の低減、作業の不快感の軽減ひいては作業
の安全性等が著しく改善される。
【考案を実施するための最良の形態】
【００１１】
本考案に係る施工用具の受皿部は、凹部を有する皿状の部材であり、形状に関しては浅
い球面の一部を用いるのが一般的であるが、円錐面あるいは回転楕円体面の一部、浅い多
角錐の頂部あるいは四角錐の頂部などを用いることもできる。受皿部の厚みは作業に差し
支え無い強度を保持できる程度であれば良い。
【００１２】
受皿部の材質は、タッチアップ作業の都合上なるべく軽量のものが望ましく、また作業
終了後に塗料の付着した状態で使い捨てにすることも視野に入れると低コストのものが望
ましい。例えばロクロ加工した木材、耐シンナー性の合成樹脂などが廃棄後の焼却処理を
考慮して好ましく用いられるが、アルミ等の軽量合金も用いることができる。
【００１３】
本考案に係る把手部は、受皿部凸面の頂点部分に垂直に固定される。把手部の形状は製
作の都合から円管状が好ましい。しかし、作業中の汗や溶剤等による滑りを止める都合か
ら多角柱状、四角棒状も用いられる。把手部の材質は受皿部と固定できる限り別個の材質
の部材であって良い。しかし、実用上は両者を耐シンナー性合成樹脂で一体的にプラスチ
ック成形法により形成しても良い。または、木材からロクロ加工により両者を一体的に削
り出しても良い。
【００１４】
本考案に係る塗料含浸部は、含浸性材料を厚底型コップの形状に形成した部材であり、
含浸部の内径寸法は塗料を含浸させた状態でタッチアップの対象とするボルト・ナットの
外径に緩やかに外接するように定める。含浸部の軸方向の長さは、本考案に係る施工用具
をボルト・ナットに被せ、受皿部がボルト・ナットの先端に触れるまで把手を押したとき
に、座金の周辺部分の鉄骨材まで塗装が行われるような余裕を生じる長さが好ましい。
【００１５】
なお、上記コップの形状は円筒形でも良いが、縁がラッパ状に幾分か開いた形状も座金
周辺の鉄骨材まで容易に塗装できるので好ましい。厚底の厚みは、タッチアップの対象と
するボルト・ナットにこの含浸部が被せられ押し付けられたときに、ナットを本締めした
後に余るボルト部分を包み込みできる程度であれば良い。
【００１６】
本考案に係る施工用具を使用するときは、バケツ等の容器に塗料を入れ、上記の塗料含
浸部をモップのように塗料に浸して塗料を含ませる。含浸部の材質は、受皿部の周縁に円
形に植毛して形成される刷毛状のもの、帆布など天然繊維の織布、耐シンナー性合成樹脂
の不織布、またはスポンジ状の合成樹脂高発泡体が好ましい。但し、刷毛の場合はコップ
の厚底に相当する部分はスポンジ或は不織布等で補う必要がある。
【００１７】
本考案に係るタッチアップ施工用具に用いる合成樹脂高発泡体の事例として、架橋ポリ
エチレン高発泡体、軟質ポリウレタン高発泡体などを挙げることができる。
【００１８】
図１は、本考案に係る施工用具の一実施形態を例示する縦断面図である。回転楕円体面
部分の形状を採った受皿部３に、軟質ポリウレタン高発泡体を厚底コップ状に形成した塗
料含浸部２をウレタン系接着剤により受皿部３から立ち上がるように密着して設けたもの
である。
【００１９】
この事例では、ナットのサイズに合わせて種々の寸法に製作される受皿部３と均一サイ
ズでも良い把手部４はそれぞれ硬質ポリウレタン樹脂で別個に成形され、把手部４と受皿
部３を接着した後、受皿部３に塗料含浸部２を接着している。
【産業上の利用可能性】
【００２０】
本考案に係る施工用具のサイズは、塗料含浸部の内径寸法により定まるが、実用上、一
般的な構築物に用いられるボルト・ナットのサイズに対応するように数種類のサイズのも
のを揃えておくと、土木建設業界に汎用される施工用具となる。構造的に簡単であるため
製作が容易であり、製作コストも比較的安価であるので、大量供給が可能である。
【００２１】
図２は本考案に係るタッチアップ施工用具の使用方法を左から右へ手順を追って示した
ものである。本発明に係る施工用具は、図示したように使用方法が簡単であり、非熟練作
業者が使用してもタッチアップの施工が確実にできるので、施工上の品質管理の信頼性が
高く、ニートの増加にもかかわらず熟練労働者の不足と云う側面を持つ労働力ミスマッチ
問題に対応することができる。
【図面の簡単な説明】
【００２２】
【図１】本考案に係る施工用具の一事例を示す（ａ）縦断面図、（ｂ）外観側面図である。
【図２】本考案に係る施工用具の使用手順を示す説明図である。
【符号の説明】
【００２３】
１    タッチアップ施工用具
２    塗料含浸部
３    受皿部
４    把手部
５    ボルト
６    ナット
７    座金
８    鉄骨材
９    防錆塗料被覆膜
【図１】
0003126247.tif 000003
【図２】
0003126247.tif 000004